(57)【特許請求の範囲】
【請求項１】
同軸ケーブルが接続されるプラグ型コネクタと、このプラグ型コネクタと嵌合、接続するレセプタクル型コネクタと、を有する同軸ケーブル用コネクタであって、前記プラグ型コネクタ及びレセプタクル型コネクタそれぞれが次の各構成を備えて成ることを特徴とする同軸ケーブル用コネクタ。
「プラグ型コネクタ」
（イ）一方の端部分に接触接続部が設けられて嵌合方向に延びるシグナル接続用アームと、このシグナル接続用アームの他方の端においてその嵌合方向に延びる軸に対し垂直に折り曲げられた部分に設けられ、その先端辺に開口するＹ字状スリットが形成配置されてこのＹ字状スリットに前記同軸ケーブルの中心導体が挿入、接続される中心導体接続部と、を含み、導電性板材により形成されたプラグ側シグナルコンタクト
（ロ）前記プラグ側シグナルコンタクトの周囲を四方から囲う面に対し、その四方の面のうちの向き合う二方の面に配置されてそれぞれその一方の端部分に接触接続部が設けられて嵌合方向に延びる２つのグランド接続用アームと、これら２つのグランド接続用アームのうち、一方における他端部においてＬ字状に、且つ前記プラグ側シグナルコンタクトの中心導体接続部に対し垂直になるように折り曲げられた部分に設けられ、前記プラグ側シグナルコンタクトのＹ字状スリットと同じ向きに開口するＹ字状スリットが形成配置されてこのＹ字状スリットに前記同軸ケーブルの外部導体が挿入接続される外部導体接続部とを含むプラグ側グランドコンタクトであって、前記一方のグランド接続用アームの他端部と前記外部導体接続部とで前記中心導体接続部をＬ字状に囲むようにして、導電性板材により形成されたプラグ側グランドコンタクト
（ハ）前記プラグ側シグナルコンタクト及びプラグ側グランドコンタクトを、その接触接続部が前記レセプタクル型コネクタとの嵌合端側となるようにして配置、保持固定する第１のプラグ側インシュレータ
（ニ）前記同軸ケーブルの一端側を、その中心導体及び外部導体それぞれを異なる部位に区分け配置して保持し、前記第１のプラグ側インシュレータと結合して前記同軸ケーブルの中心導体を前記プラグ側シグナルコンタクトの中心導体接続部に接続し、前記同軸ケーブルの外部導体を前記プラグ側グランドコンタクトの外部導体接続部に接続する第２のプラグ側インシュレータ
「レセプタクル型コネクタ」
（イ）前記プラグ型コネクタとの嵌合状態のとき、前記プラグ側シグナルコンタクトの接触接続部と加圧接触するレセプタクル側シグナルコンタクト
（ロ）前記レセプタクル側シグナルコンタクトの周囲を四方から囲う面に対し、その四方の面のうちの、嵌合状態にある前記プラグ型コネクタにおけるプラグ側グランドコンタクトの２つのグランド接続用アームそれぞれと交差する二方の面に配置され、前記プラグ側グランドコンタクトと共に前記レセプタクル側シグナルコンタクト及びプラグ側シグナルコンタクトの周囲をその四方から囲い、かつ前記プラグ側グランドコンタクトの２つのグランド接続用アームとの交差部分でその接触接続部と加圧接触する２枚のレセプタクル側グランドコンタクト
（ハ）前記レセプタクル側シグナルコンタクト及びレセプタクル側グランドコンタクトを配置、保持固定するレセプタクル側インシュレータ
【請求項２】
前記プラグ側シグナルコンタクトは、そのシグナル接続用アームがその接触接続部側で２股に分れたフォーク形状を成し、この２股に分れた接触接続部の間に前記レセプタクル側シグナルコンタクトが挿入されてこれを挟み込む構造である、請求項１記載の同軸ケーブル用コネクタ。
【請求項３】
前記プラグ側グランドコンタクトは、その２つのグランド接続用アームそれぞれがその接触接続部側で２股に分れたフォーク形状を成し、この２股に分れた接触接続部の間に前記レセプタクル側グランドコンタクトが挿入されてこれを挟み込む構造である、請求項１記載の同軸ケーブル用コネクタ。
【請求項４】
前記プラグ側グランドコンタクトは、その２つのグランド接続用アームが前記プラグ側シグナルコンタクトを挟む二方の面に配置された形状、構造を成し、前記２枚のレセプタクル側グランドコンタクトは、前記レセプタクル側シグナルコンタクトを挟み、かつ嵌合状態のとき、その一方が、前記プラグ側グランドコンタクトの２つのグランド接続用アームのうちの一方と交差し、その他方が、前記２つのグランド接続用アームのうちの他方と交差するように配置されて、これら交差部分で互いに接続する形状、構造である、請求項１記載の同軸ケーブル用コネクタ。
【請求項５】
請求項１に記載の同軸ケーブル用コネクタに加えて、互いに結合している第１のプラグ側インシュレータ及び第２のプラグ側インシュレータの周囲を覆ってこれら第１，第２のプラグ側インシュレータの結合状態を確保する一方、同軸ケーブルの、前記第２のプラグ側インシュレータからの導出部分を保持する、プラグ側シェルを設けて成る同軸ケーブル用コネクタ。
【発明の詳細な説明】
【０００１】
【発明の属する技術分野】
本発明は同軸ケーブル用コネクタに関し、特に同軸ケーブルが接続されるプラグ型コネクタと、これと嵌合接続するレセプタクル型コネクタとを含む同軸ケーブル用コネクタに属する。
【０００２】
【従来の技術】
同軸ケーブル用コネクタは、通常、同軸ケーブルが接続されるプラグ型コネクタと、一般的にはプリント配線板やキャビネット等に取付けられるレセプタクル型コネクタとを含む。また、中には、両方とも同軸ケーブルが接続される場合もあるが、本願では、この場合も、その形状、構造等から、一方をプラグ型、他方をレセプタクル型と呼ぶことにする。
【０００３】
このような同軸ケーブル用コネクタの、従来の第１の例を図３に示す。
この第１の例の同軸ケーブル用コネクタは、同軸ケーブル５００ｘが接続されるプラグ型コネクタ１００ｘと、このプラグ型コネクタ１００ｘと嵌合、接続し、プリント配線板等に取付けられるレセプタクル型コネクタ２００ｘと、を含み、これらの詳細は次のとおりである。
【０００４】
まず、プラグ型コネクタ１００ｘは、一方の端に同軸ケーブル５００ｘの中心導体５１０ｘがはんだ付け接続され、円筒状ピン型に形成されたプラグ側シグナルコンタクト１４０ｘと、このプラグ側シグナルコンタクト１４０ｘの周囲を円筒状に囲い、その一方の端側部分で、外部被覆５４０ｘ上に折り返された同軸ケーブル５００ｘの外部導体５３０ｘに圧接するプラグ側グランドコンタクト１５０ｘと、プラグ側シグナルコンタクト１４０ｘをプラグ側グランドコンタクト１５０ｘの中心軸上に保持固定するプラグ側インシュレータ１６０と、を備えた形状、構造となっている。
【０００５】
また、レセプタクル型コネクタ２００ｘは、プラグ側シグナルコンタクトの円筒状内側に挿入されてこれと接続するピン型のレセプタクル側シグナルコンタクト２１０ｘと、このレセプタクル側シグナルコンタクト２１０ｘの周囲を、このコンタクトを中心軸とする円筒状に囲い、プラグ型コネクタ１００ｘが挿入されて嵌合し、そのプラグ側グランドコンタクト１５０ｘと接触接続するレセプタクル側グランドコンタクト２２０ｘと、このレセプタクル側グランドコンタクト２２０ｘの嵌合端側とは逆の端部分につば状円筒状に形成されたベースハウジング２４０と、このベースハウジング２４０内に保持固定されてレセプタクル側シグナルコンタクト２１０ｘ及びレセプタクル側グランドコンタクト２２０ｘを上記位置関係を保つように保持固定するレセプタクル側インシュレータ２３０ｘと、一端をレセプタクル側シグナルコンタクト２１０ｘ及びレセプタクル側グランドコンタクト２２０ｘと対応接続してレセプタクル側インシュレータ２３０ｘに保持固定され、その底面側から突出する複数本のリード端子２５０と、を備えた形状、構造となっている。
【０００６】
この第１の例では、プラグ型コネクタ１００ｘに同軸ケーブル５００ｘを接続する際、同軸ケーブル５００ｘの端末部分に対し、その外部被覆５４０ｘを規定寸法だけ切除してその内側の外部導体５３０ｘを外部被覆５４０ｘ上に折り返し、かつ中心導体５１０ｘ及び内部被覆５２０ｘそれぞれが規定寸法だけむき出しになるように加工処理を行う（端末処理）必要があり、また、レセプタクル型コネクタ２００ｘは、そのレセプタクル側グランドコンタクト２２０ｘ及びベースハウジング２４０が切削加工して形成する必要がある。
【０００７】
そこで、このような手間がかかり繁雑な作業の、同軸ケーブル５００ｘの端末処理をなくし、かつプラグ型コネクタ１００ｘとの接続作業に、はんだ付けや圧接加工がなく、しかもレセプタクル型コネクタ２００ｘに熟練を要しコスト高となる切削加工が不要となる同軸ケーブル用コネクタとして、図４（ａ）〜（ｃ）及び図５（ａ）〜（ｄ）に示すような、第２の例が提案されている（例えば、特開平１０−１９９６３３号公報参照）。
【０００８】
この第２の例の同軸ケーブル用コネクタは、図４（ａ）〜（ｃ）及び図５（ａ）〜（ｄ）に示すように、同軸ケーブル５００が接続されるプラグ型コネクタ１００ｙと、このプラグ型コネクタ１００ｙと嵌合、接続し、プリント配線板そのものをレセプタクル側インシュレータ２３０ｙとするレセプタクル型コネクタ２００ｙと、を含み、これらの詳細は次のとおりである。
【０００９】
まず、プラグ型コネクタ１００ｙは、プラグ側シグナルコンタクト１４０ｙ、プラグ側グランドコンタクト１５０ｙ、ベースインシュレータ１１０ｙ、及びカバーインシュレータ１２０ｙを含んで成り、これらの詳細について以下、順次説明する。
プラグ側シグナルコンタクト１４０ｙは、２股のフォーク状を成してその先端部分に接触接続部１４１ｙが設けられたシグナル接続用アーム１４２ｙと、このシグナル接続用アーム１４２ｙの根本側につながり、その先端側が広がったＹ字状スリットを含む、中心導体接続部１４３ｙと、を備えて１枚の導電性板材（金属板等）で形成されている。
【００１０】
また、プラグ側グランドコンタクト１５０ｙは、プラグ側シグナルコンタクト１４０ｙと同様な形状、構造で、これよりやや長く、かつ幅広に形成され、接触接続部１５１ｙを含むグランド接続用アーム１５２ｙと、Ｙ字状スリットを含む外部導体接続部１５３ｙと、を備えて１枚の導電性板材で形成されている。
【００１１】
ベースインシュレータ１１０ｙは、シグナルコンタクト収容固定部１１１ｙ及びグランドコンタクト収容固定部を備えて、これらに、プラグ側シグナルコンタクト１４０ｙ及びプラグ側グランドコンタクト１５０ｙを、その接触接続部１４１ｙ，１５１ｙがレセプタクル型コネクタ２００ｙとの嵌合端側となるように配置し、保持固定する。
【００１２】
カバーインシュレータ１２０ｙは、中心導体用案内穴１２１ｙ及び外部導体用案内穴１２２ｙを備えてこれらに、端末処理された同軸ケーブル５００の、内部被覆５２０付き中心導体５１０、及び外部導体５３０のドレイン線５３１を導入、保持し、プラグ側シグナルコンタクト１４０ｙ及びプラグ側グランドコンタクト１５０ｙを保持固定済みのベースインシュレータ１１０ｙと結合させることにより、同軸ケーブル５００の中心導体５１０がプラグ側シグナルコンタクト１４０ｙの中心導体接続部１４３ｙに接続し、ドレイン線５３１がプラグ側グランドコンタクト１５０ｙの外部導体接続部１５３ｙに接続して、同軸ケーブル５００接続状態のプラグ型コネクタ１００ｙを完成させる。
【００１３】
次に、レセプタクル型コネクタ２００ｙは、同軸ケーブル５００接続対象のプリント配線板を利用しその一部をレセプタクル側インシュレータ２３０ｙとし、このレセプタクル側インシュレータ２３０ｙに、レセプタクル側シグナルコンタクト２１０ｙ及びレセプタクル側グランドコンタクト２２０ｙを、表面から突出させて保持固定した形状、構造となっていて、前述のプラグ型コネクタ１００ｙを嵌合させることにより、プラグ側シグナルコンタクト１４０ｙの、２股フォーク状先端部分の接触接続部１４１ｙにレセプタクル側シグナルコンタクト２１０ｙが挟持されて接続し、プラグ側グランドコンタクト１５０ｙの、２股フォーク状先端部分の接触接続部１５１ｙにレセプタクル側グランドコンタクト２２０ｙが挟持されて接続する。
【００１４】
この第２の例では、同軸ケーブル５００の端末処理が、内部被覆５２０付きの中心導体５１０、及びドレイン線５３１が規定寸法だけ露出するように、外部被覆５４０、及びドレイン線５３１以外の部分の外部被覆５３０を切除するだけで済み、また、カバーインシュレータ１２０ｙへの取付けも、内部被覆付き中心導体５１０及びドレイン線５３１を中心導体用案内穴１２１ｙ及び外部導体用案内穴１２２ｙに挿入するだけで済んで、これらの作業が単純かつ容易になり、しかも、各部がプレス加工やモールド加工等により形成することができて、熟練を要しコスト高となる切削加工が不要となり、コストを低減することができる。
【００１５】
【発明が解決しようとする課題】
上述した従来の同軸ケーブル用コネクタは、その第２の例では、同軸ケーブル５００の端末処理が単純かつ容易な作業で済み、同軸ケーブル５００のカバーインシュレータ１２０ｙへの取付けも、その中心導体用案内穴１２１ｙ及び外部導体用案内穴１２２ｙに、内部被覆付き中心導体５１０及びドレイン線５３１ｙを挿入するだけの単純、容易な作業で済み、しかも、プラグ型コネクタ１００ｙ及びレセプタクル型コネクタ２００ｙの各部が、プレス加工やモールド加工等により形成することができて、熟練を要しコスト高となる切削加工が不要となって、コストを低減することができ、第１の例の欠点を解決することができるが、プラグ側シグナルコンタクト１４０ｙとプラグ側グランドコンタクト１５０ｙとの間、レセプタクル側シグナルコンタクト２１０ｙとレセプタクル側グランドコンタクト２２０ｙとの間は、単に、互いに平列に配置されているだけであって、シグナルコンタクト側（１４０ｙ，２１０ｙ）をグランドコンタクト側（１５０ｙ，２２０ｙ）で有効にシールドすることができず、高速信号の伝達に不向きである、という問題点がある。
【００１６】
本発明の目的は、上記従来技術の問題点に鑑みて、同軸ケーブルの端末処理やその取付け、接続が単純、容易な作業で済み、かつ熟練を要してコスト高となる切削加工等をなくしてコストを低減することができるようにした上で、シグナルコンタクト側をグランドコンタクト側で有効にシールドすることができて高速信号の伝達にも適した、同軸ケーブル用コネクタを提供することにある。
【００１７】
【課題を解決するための手段】
本発明の同軸ケーブル用コネクタは、同軸ケーブルが接続されるプラグ型コネクタと、このプラグ型コネクタと嵌合、接続するレセプタクル型コネクタと、を有する同軸ケーブル用コネクタであって、前記プラグ型コネクタ及びレセプタクル型コネクタそれぞれが次の各構成を備えて成ることを特徴とする。
「プラグ型コネクタ」
（イ）一方の端部分に接触接続部が設けられて嵌合方向に延びるシグナル接続用アームと、このシグナル接続用アームの他方の端においてその嵌合方向に延びる軸に対し垂直に折り曲げられた部分に設けられ、その先端辺に開口するＹ字状スリットが形成配置されてこのＹ字状スリットに前記同軸ケーブルの中心導体が挿入、接続される中心導体接続部と、を含み、導電性板材により形成されたプラグ側シグナルコンタクト
（ロ）前記プラグ側シグナルコンタクトの周囲を四方から囲う面に対し、その四方の面のうちの向き合う二方の面に配置されてそれぞれその一方の端部分に接触接続部が設けられて嵌合方向に延びる２つのグランド接続用アームと、これら２つのグランド接続用アームのうち、一方における他端部においてＬ字状に、且つ前記プラグ側シグナルコンタクトの中心導体接続部に対し垂直になるように折り曲げられた部分に設けられ、前記プラグ側シグナルコンタクトのＹ字状スリットと同じ向きに開口するＹ字状スリットが形成配置されてこのＹ字状スリットに前記同軸ケーブルの外部導体が挿入接続される外部導体接続部とを含むプラグ側グランドコンタクトであって、前記一方のグランド接続用アームの他端部と前記外部導体接続部とで前記中心導体接続部をＬ字状に囲むようにして、導電性板材により形成されたプラグ側グランドコンタクト
（ハ）前記プラグ側シグナルコンタクト及びプラグ側グランドコンタクトを、その接触接続部が前記レセプタクル型コネクタとの嵌合端側となるよう、かつ、それぞれのＹ字状スリットが全て嵌合方向に対し垂直方向の同一側となるように配置、保持固定する第１のプラグ側インシュレータ
（ニ）前記同軸ケーブルの一端側を、その中心導体及び外部導体それぞれを異なる部位に区分け配置して保持し、前記第１のプラグ側インシュレータと結合して前記同軸ケーブルの中心導体を前記プラグ側シグナルコンタクトの中心導体接続部に接続し、前記同軸ケーブルの外部導体を前記プラグ側グランドコンタクトの外部導体接続部に接続する第２のプラグ側インシュレータ
「レセプタクル型コネクタ」
（イ）前記プラグ型コネクタとの嵌合状態のとき、前記プラグ側シグナルコンタクトの接触接続部と加圧接触するレセプタクル側シグナルコンタクト
（ロ）前記レセプタクル側シグナルコンタクトの周囲を四方から囲う面に対し、その四方の面のうちの、嵌合状態にある前記プラグ型コネクタにおけるプラグ側グランドコンタクトの２つのグランド接続用アームそれぞれと交差する二方の面に配置され、前記プラグ側グランドコンタクトと共に前記レセプタクル側シグナルコンタクト及びプラグ側シグナルコンタクトの周囲をその四方から囲い、かつ前記プラグ側グランドコンタクトの２つのグランド接続用アームとの交差部分でその接触接続部と加圧接触する２枚のレセプタクル側グランドコンタクト
（ハ）前記レセプタクル側シグナルコンタクト及びレセプタクル側グランドコンタクトを配置、保持固定するレセプタクル側インシュレータ
【００１８】
また、前記プラグ側シグナルコンタクトは、そのシグナル接続用アームがその接触接続部側で２股に分れたフォーク形状を成し、この２股に分れた接触接続部の間に前記レセプタクル側シグナルコンタクトが挿入されてこれを挟み込む構造であり、前記プラグ側グランドコンタクトは、その２つのグランド接続用アームそれぞれがその接触接続部側で２股に分れたフォーク形状を成し、この２股に分れた接触接続部の間に前記レセプタクル側グランドコンタクトが挿入されてこれを挟み込む構造である、構成を有している。
【００１９】
また、前記プラグ側グランドコンタクトは、その２つのグランド接続用アームが前記プラグ側シグナルコンタクトを挟む二方の面に配置された形状、構造を成し、前記２枚のレセプタクル側グランドコンタクトは、前記レセプタクル側シグナルコンタクトを挟み、かつ嵌合状態のとき、その一方が、前記プラグ側グランドコンタクトの２つのグランド接続用アームのうちの一方と交差し、その他方が、前記２つのグランド接続用アームのうちの他方と交差するように配置されて、これら交差部分で互いに接続する形状、構造である、構成を有している。
【００２０】
更に、前記同軸ケーブル用コネクタに加えて、互いに結合している第１のプラグ側インシュレータ及び第２のプラグ側インシュレータの周囲を覆ってこれら第１，第２のプラグ側インシュレータの結合状態を確保する一方、同軸ケーブルの、前記第２のプラグ側インシュレータからの導出部分を保持する、プラグ側シェルを設けて構成される。
【００２１】
【発明の実施の形態】
本発明の一実施の形態は、同軸ケーブルが接続されるプラグ型コネクタと、このプラグ型コネクタと嵌合、接続するレセプタクル型コネクタと、を有し、これらプラグ型コネクタ及びレセプタクル型コネクタが、次の各構成を備えている。
「プラグ型コネクタ」
（イ）一方の端部分に接触接続部が設けられて嵌合方向に延びるシグナル接続用アームと、このシグナル接続用アームの他方の端においてその嵌合方向に延びる軸に対し垂直に折り曲げられた部分に設けられ、その先端辺に開口するＹ字状スリットが形成配置されてこのＹ字状スリットに上記同軸ケーブルの中心導体が挿入、接続される中心導体接続部と、を含み、導電性板材により形成されたプラグ側シグナルコンタクト
（ロ）上記プラグ側シグナルコンタクトの周囲を四方から囲う面に対し、その四方の面のうちの向き合う二方の面に配置されてそれぞれその一方の端部分に接触接続部が設けられて嵌合方向に延びる２つのグランド接続用アームと、これら２つのグランド接続用アームのうち、一方における他端部においてＬ字状に、且つ上記プラグ側シグナルコンタクトの中心導体接続部に対し垂直になるように折り曲げられた部分に設けられ、上記プラグ側シグナルコンタクトのＹ字状スリットと同じ向きに開口するＹ字状スリットが形成配置されてこのＹ字状スリットに上記同軸ケーブルの外部導体が挿入接続される外部導体接続部とを含むプラグ側グランドコンタクトであって、上記一方のグランド接続用アームの他端部と上記外部導体接続部とで上記中心導体接続部をＬ字状に囲むようにして、導電性板材により形成されたプラグ側グランドコンタクト
（ハ）上記プラグ側シグナルコンタクト及びプラグ側グランドコンタクトを、その接触接続部が上記レセプタクル型コネクタとの嵌合端側となるようにして配置、保持固定する第１のプラグ側インシュレータ
（ニ）上記同軸ケーブルの一端側を、その中心導体及び外部導体それぞれを異なる部位に区分け配置して保持し、上記第１のプラグ側インシュレータと結合して上記同軸ケーブルの中心導体を上記プラグ側シグナルコンタクトの中心導体接続部に接続し、上記同軸ケーブルの外部導体を上記プラグ側グランドコンタクトの外部導体接続部に接続する第２のプラグ側インシュレータ
「レセプタクル型コネクタ」
（イ）上記プラグ型コネクタとの嵌合状態のとき、上記プラグ側シグナルコンタクトの接触接続部と加圧接触するレセプタクル側シグナルコンタクト
（ロ）上記レセプタクル側シグナルコンタクトの周囲を四方から囲う面に対し、その四方の面のうちの、嵌合状態にある上記プラグ型コネクタにおけるプラグ側グランドコンタクトの２つのグランド接続用アームそれぞれと交差する二方の面に配置され、上記プラグ側グランドコンタクトと共に上記レセプタクル側シグナルコンタクト及びプラグ側シグナルコンタクトの周囲をその四方から囲い、かつ上記プラグ側グランドコンタクトの２つのグランド接続用アームとの交差部分でその接触接続部と加圧接触する２枚のレセプタクル側グランドコンタクト
（ハ）上記レセプタクル側シグナルコンタクト及びレセプタクル側グランドコンタクトを配置、保持固定するレセプタクル側インシュレータ
【００２２】
このような構成、形状、構造とすることにより、同軸ケーブルの端末処理が、内部被覆付きのままの中心導体と外部導体とを分けてこれらを規定寸法だけ露出するように外部被覆を切除する、という単純、容易な作業で済み、また、同軸ケーブルのプラグ側コネクタへの取付け、接続も、その内部被覆付き中心導体及び外部導体を、第２のプラグ側インシュレータの異なる部位に区分け配置して保持し、この第２のプラグ側インシュレータを第１のプラグ側インシュレータに結合させる、という単純、容易な作業で行うことができ、しかも、各部がプレス加工やモールド成形等によって形成することができて、熟練を要しコスト高となる切削加工不要となって、コストを低減することができるようにした上で、シグナルコンタクト側がグランドコンタクト側で四方からほぼ全周、囲われるようになるので、グランドコンタクト側によるシグナルコンタクト側へのシールド作用が効果的に得られて、高速信号を良好に伝達することができる。
【００２３】
【実施例】
次に、本発明の実施例について図面を参照して説明する。
図１（ａ）〜（ｃ）は本発明の一実施例を示す、嵌合前の全体の斜視図、並びに嵌合状態のシグナルコンタクト及びグランドコンタクト部分の、同軸ケーブル接続前後の斜視図、図２はそのプラグ型コネクタの分解斜視図である。
この実施例は、同軸ケーブル５００が接続されるプラグ型コネクタ１００と、このプラグ型コネクタ１００と嵌合、接続するレセプタクル型コネクタ２００とを有し、その詳細は次のとおりである。
【００２４】
まず、プラグ型コネクタ１００は、プラグ側シグナルコンタクト１４０と、プラグ側グランドコンタクト１５０と、第１のプラグ側インシュレータであるベースインシュレータ１１０と、第２のプラグ側インシュレータであるカバーインシュレータ１２０と、プラグシェル１３０と、を含んで成り、これらの詳細について順次説明する。
【００２５】
プラグ側シグナルコンタクト１４０は、２股のフォーク状を成してその先端部分に接触接続部１４１が設けられたシグナル接続用アーム１４２と、このシグナル接続用アーム１４２の根本側につながり、その先端側が広がったＹ字状スリットを含む、中心導体接続部１４３と、を備えて１枚の導電性材料（金属板等）で形成されている。
【００２６】
プラグ側グランドコンタクト１５０は、プラグ側シグナルコンタクト１４０を挟むようにその前側及び後側を囲うように配置されて前側、後側それぞれが２股のフォーク状を成し、それぞれの先端部分に接触接続部１５１ａ，１５１ｂが設けられたグランド接続用アーム１５２ａ，１５２ｂと、これらグランド接続用アーム１５２ａ，１５２ｂの根本側につながり、その先端側が広がったＹ字状スリットを含む、外部導体接続部１５３と、を備えプラグ側グランドコンタクト１５０の幅広面と外部導体接続部１５３はプラグ側シグナルコンタクト１４０の中心導体接続部をＬ字形に囲むような形で、１枚の導電性板材（金属板等）で形成されている。
【００２７】
ベースインシュレータ１１０は、シグナルコンタクト収容固定部１１１及び２分割されたグランドコンタクト収容固定部１１２を備えてこれらに、プラグ側シグナルコンタクト１４０のシグナル接続用アーム１４２及びプラグ側グランドコンタクト１５０のグランド接続用アーム１５２ａ，１５２ｂを押し込み、これらプラグ側シグナルコンタクト１４０及びプラグ側グランドコンタクト１５０を、その接触接続部１４１，１５１ａ，１５１ｂがレセプタクル型コネクタ２００との嵌合端側となるように、かつ中心導体接続部１４３及び外部導体接続部１５３のＹ字状スリットの先がカバーインシュレータ１２０との結合側となるように配置、保持固定する。
【００２８】
カバーインシュレータ１２０は、図示省略されている（向う側の面のため）中心導体保持部及び外部導体保持部を備えてこれらに、同軸ケーブル５００の内部被覆５２０付き中心導体５１０及び外部導体５３０のドレイン線５３１を収容、保持し、プラグ側シグナルコンタクト１４０及びプラグ側グランドコンタクト１５０が収容、保持固定されているベースインシュレータ１１０に押し込んでこれと結合し、中心導体５１０をプラグ側シグナルコンタクト１４０の中心導体接続部１４３に接続し、ドレイン線５３１をプラグ側グランドコンタクト１５０の外部導体接続部１５３に接続する。
【００２９】
そしてプラグシェル１３０は、互いに結合しているベースインシュレータ１１０及びカバーインシュレータ１２０の周囲を覆ってこれらの結合状態を確保する一方、同軸ケーブル５００の、カバーインシュレータ１２０からの導出部分を保持してこれを補強する。
【００３０】
次に、レセプタクル型コネクタ２００は、レセプタクル側シグナルコンタクト２１０、レセプタクル側グランドコンタクト２２０、及びレセプタクル側インシュレータ２３０を含んで成り、これらの詳細は次のとおりである。
レセプタクル側シグナルコンタクト２１０は、プラグ側シグナルコンタクト１４０の、２股フォーク状先端部分の接触接続部１４１の間に挿入されて挟み込まれ、これと加圧接触接続する。
【００３１】
レセプタクル側グランドコンタクト２２０は、レセプタクル側シグナルコンタクト２１０を挟むように、その周囲の右側及び左側に配置され、かつ、プラグ型コネクタ１００との嵌合状態のとき、プラグ側グランドコンタクト１５０と共に、レセプタクル側シグナルコンタクト２１０及びプラグ側シグナルコンタクト１４０の周囲をその四方からほぼ全周囲うように配置されて、プラグ側グランドコンタクト１５０の、２股フォーク状先端部分の接触接続部１５１ａ，１５１ｂそれぞれの間に挿入されて挟み込まれ、これらと加圧接触接続する。
【００３２】
そしてレセプタクル側インシュレータ２３０は、レセプタクル側シグナルコンタクト２１０及びレセプタクル側グランドコンタクト２２０を、上述のように配置、保持固定する。
【００３３】
この実施例において、プラグ側シグナルコンタクト１４０及びプラグ側グランドコンタクト１５０は、レセプタクル側シグナルコンタクト２１０及びレセプタクル側グランドコンタクト２２０の挿入、接続方向に対し、カバーインシュレータ１２０結合による同軸ケーブル５００の押し込み接続方向が９０°異なるので、そのシグナル接続用アーム１４２に対し中心導体接続部１４３、及びグランド接続用アーム１５２ａ，１５２ｂに対し外部導体接続部１５３が９０°折り曲げられた形状となっている。
【００３４】
また、中心導体接続部１４３、及び外部導体接続部１５３は、それぞれがＹ字状スリットを備えており、カバーインシュレータ１２０により押し込まれた、内部被覆５２０付きの中心導体５１０は、そのＹ字状スリットの入口で内部被覆５２０が突き破られてその奥まで導かれ、中心導体接続部１４３と接続し、ドレイン線５３１もＹ字状スリットに導かれて外部導体接続部１５３と接続する。
【００３５】
この実施例において、同軸ケーブル５００の取付け、接続は、その端末処理が、中心導体５１０を、内部被覆５２０付きのまま規定寸法だけ露出させ、また、外部導体５３０にドレイン線５３１が含まれる場合にはドレイン線５３１のみ規定寸法だけ露出するように外部被覆５４０、及び外部導体５３０のうち、ドレイン線５３１以外の部分を切除するだけで済み、そして、この端末処理した同軸ケーブル５００の内部被覆５２０付き中心導体５１０及びドレイン線５３１を、カバーインシュレータ１２０の中心導体保持部及び外部導体保持部に別々に収容保持してこのカバーインシュレータ１２０を、プラグ側シグナルコンタクト１４０及びプラグ側グランドコンタクト１５０が保持固定されたベースインシュレータ１１０に押し込み、結合する、という単純、かつ容易な作業で行うことができる。
【００３６】
また、プラグ側シグナルコンタクト１４０、プラグ側グランドコンタクト１５０、レセプタクル側シグナルコンタクト２１０、及びレセプタクル側グランドコンタクト２２０は、プレス加工等により容易に形成することができて、熟練を要しコスト高となる切削加工が不要となり、ベースインシュレータ１１０、カバーインシュレータ１２０、及びレセプタクル側インシュレータ２３０は、モールド成形等により容易に形成することができ、しかも、各コンタクトは、圧入等により容易にインシュレータに組込むことができるので、部品コスト及び組立てコストを含む製品コストを安くすることができる。
【００３７】
そして、その構造が、シグナルコンタクトの周囲四方を取り巻くようにグランドコンタクトで囲われるので、シグナルコンタクトに対するシールド作用を効果的に得ることができ、高速信号を良好に伝達することができる。
【００３８】
この実施例において、プラグ側グランドコンタクト１５０は、外部導体接続部１５３の部分が後側のグランド接続用アーム１５２ｂに対して内側に、９０°に折り曲げられ、更に前側のグランド接続用アーム１５２ａの部分が外部導体接続部１５３に対して外側に、９０°折り曲げられた形状となっているが、前側のグランド接続用アーム１５２ａを、外部導体接続部１５３に対し内側に９０°折り曲げるようにしてもよい。また、プラグ側の２つのグランド接続用アーム（１５２ａ，１５２ｂ）を、Ｌ字状に配置し、これらと相対向する位置に、レセプタクル側の２枚のグランドコンタクト（２２０）をＬ字状に配置して、これらにより、プラグ側及びレセプタクル側のシグナルコンタクトの周囲を囲うようにしてもよい。
【００３９】
また、この実施例において、レセプタクル型コネクタ２００は、このコネクタ専用のレセプタクル側インシュレータ２３０を備えた構造となっているが、レセプタクル側インシュレータとして、例えばプリント配線板の一部を利用するようにしてもよい。
【００４０】
【発明の効果】
以上説明したように本発明は、プラグ側シグナルコンタクトを導電性板材により形成し、プラグ側グランドコンタクトを、導電性板材を折り曲げて、プラグ側シグナルコンタクトの周り四方のうち二方を囲うように形成し、レセプタクル側グランドコンタクトを、レセプタクル側シグナルコンタクトの周り四方のうちの他の二方を囲うように配置して、プラグ・レセプタクル嵌合時、プラグ側シグナルコンタクト及びレセプタクル側シグナルコンタクトの周り四方のほぼ全周を、プラグ側グランドコンタクト及びレセプタクル側グランドコンタクトにより囲う形状、構造とし、更に、プラグ側グランドコンタクトの一方と外部導体接続部とでプラグの中心導体接続部をＬ字状に囲む構造とし、同軸ケーブルの端末の中心導体部分及び外部導体部分をカバーインシュレータに保持してこのカバーインシュレータを、プラグ側シグナルコンタクト及びプラグ側グランドコンタクトが保持固定されたベースインシュレータと結合させることにより、中心導体をプラグ側シグナルコンタクトに接続し、外部導体をプラグ側グランドコンタクトに接続する構造とすることにより、同軸ケーブルの端末処理やその取付け、接続が単純かつ容易な作業で行うことができ、かつ、各部が、熟練を要してコスト高となる切削加工等を必要としない、プレス加工、モールド成形等により形成することができて、製品全体のコストを低減することができ、しかも、シグナルコンタクト側の周り四方のほぼ全周をグランドコンタクト側で有効にシールドすることができて高速信号を良好に伝達することができるという効果がある。
また、プラグの中心導体接続部をグランドコンタクトと外部導体接続部とでＬ字形に囲むようにしたのでインピーダンマッチングがとり易いという効果もある。
【図面の簡単な説明】
【図１】本発明の一実施例を示す、嵌合前の全体の斜視図、並びに嵌合状態の、シグナルコンタクト及びグランドコンタクトの部分の、同軸ケーブル接続前後の斜視図である。
【図２】図１に示された実施例の、プラグ型コネクタの分解斜視図である。
【図３】従来の同軸ケーブル用コネクタの第１の例の嵌合前の斜視図である。
【図４】従来の同軸ケーブル用コネクタの第２の例の、プラグ型コネクタの分解斜視図、及びその２分割された側面図である。
【図５】従来の同軸ケーブル用コネクタの第２の例の、嵌合前後の、各方向から見た側面図及び断面図である。
【符号の説明】
１００，１００ｘ，１００ｙ  プラグ型コネクタ
１１０，１１０ｙ  ベースインシュレータ
１１１，１１１ｙ  シグナルコンタクト収容固定部
１１２，１１２ｙ  グランドコンタクト収容固定部
１２０，１２０ｙ  カバーインシュレータ
１２１ｙ  中心導体用案内穴
１２２ｙ  外部導体用案内穴
１３０  プラグシェル
１４０，１４０ｘ，１４０ｙ  プラグ側シグナルコンタクト
１４１，１４１ｙ  接触接続部
１４２，１４２ｙ  シグナル接続用アーム
１４３，１４３ｙ  中心導体接続部
１５０，１５０ｘ，１５０ｙ  プラグ側グランドコンタクト
１５１，１５１ｙ  接触接続部
１５２ａ，１５２ｂ，１５２ｙ  グランド接続用アーム
１５３，１５３ｙ  外部導体接続部
１６０  プラグ側インシュレータ
２００，２００ｘ，２００ｙ  レセプタクル型コネクタ
２１０，２１０ｘ，２１０ｙ  レセプタクル側シグナルコンタクト
２２０，２２０ｘ，２２０ｙ  レセプタクル側グランドコンタクト
２３０，２３０ｘ，２３０ｙ  レセプタクル側インシュレータ
２４０  ベースハウジング
２５０  リード端子
５００，５００ｘ  同軸ケーブル
５１０，５１０ｘ  中心導体
５２０，５２０ｘ  内部被覆
５３０，５３０ｘ  外部導体
５３１  ドレイン線
５４０，５４０ｘ  外部被覆
【図１】
0004204750.tif 000002
【図２】
0004204750.tif 000003
【図３】
0004204750.tif 000004
【図４】
0004204750.tif 000005
【図５】
0004204750.tif 000006